(57)【要約】  基地局がサービスを指示する方法、休止状態にあるユーザ装置がサービスを発現する方法、基地局、及びユーザ装置を開示する。前記基地局がサービスを指示する方法は、すぐに到来するサービスを検出するステップと、すぐに到来するサービスが検出された場合に、すぐに到来するサービスのサービス識別又は一時移動グループ識別における少なくとも一部のビットを含むサービス指示情報を生成するステップと、マルチキャスト又はブロードキャスト方式で前記サービス指示情報をユーザ装置へ伝送するステップと、を有し、ここで、前記サービス指示情報のデータ量は、シングルセル−マルチキャスト制御チャネル情報のデータ量より小さいものである。
2019525633.tif 000002
【特許請求の範囲】
【請求項１】
基地局がサービスを指示する方法であって、
すぐに到来するサービスを検出するステップと、
すぐに到来するサービスが検出された場合に、すぐに到来するサービスのサービス識別（ＩＤ）又は一時移動グループ識別（ＴＭＧＩ）における少なくとも一部のビットを含むサービス指示情報を生成するステップと、
マルチキャスト又はブロードキャスト方式で前記サービス指示情報をユーザ装置へ伝送するステップと、を有し、
前記サービス指示情報のデータ量は、シングルセル−マルチキャスト制御チャネル（ＳＣ−ＭＣＣＨ）情報のデータ量より小さいものである、方法。
【請求項２】
前記サービス指示情報は、変更通知メッセージにおける所定数のビットであり、且つ、
前記サービス指示情報は、すぐに到来するサービスの所属するサービスグループを指示するように、すぐに到来するサービスのサービス識別（ＩＤ）又は一時移動グループ識別（ＴＭＧＩ）における一部のビットを含んでおり、
マルチキャスト又はブロードキャスト方式で前記サービス指示情報をユーザ装置へ伝送するステップは、
下りリンク制御チャネル（ＮＰＤＣＣＨ）においてマルチキャスト又はブロードキャスト方式で、前記サービス指示情報を含む前記変更通知メッセージをユーザ装置へ伝送するステップを有する、請求項１に記載の方法。
【請求項３】
前記サービス指示情報に指示されるすぐに到来するサービスの所属するサービスグループの数量は、所定指示数量であり、
前記方法は、前記すぐに到来するサービスの所属するサービスグループの総数量が前記所定指示数量を超えた場合に、前記サービス指示情報に指示されていないすぐに到来するサービスを記憶するステップをさらに有する、請求項２に記載の方法。
【請求項４】
前記方法は、記憶されているすぐに到来するサービスの所属するサービスグループの数量が所定記憶閾値を超えた場合に、前記変更通知メッセージ中に、すぐに到来するサービスの全てを指示するステップをさらに有する、請求項３に記載の方法。
【請求項５】
前記方法は、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するステップをさらに有する、請求項２に記載の方法。
【請求項６】
マルチキャスト又はブロードキャスト方式で前記サービス指示情報をユーザ装置へ伝送するステップは、
下りリンク共有チャネル（ＮＰＤＳＣＨ）においてマルチキャスト又はブロードキャスト方式で前記サービス指示情報をユーザ装置へ伝送するステップを有する、請求項１に記載の方法。
【請求項７】
前記方法は、前記サービス指示情報を伝送する前に、下りリンク制御チャネル（ＮＰＤＣＣＨ）においてマルチキャスト又はブロードキャスト方式で、前記サービス指示情報を指示するための下りリンク制御情報（ＤＣＩ）をユーザ装置へ伝送するステップと、
前記サービス指示情報を伝送した後に、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するステップと、をさらに有する、請求項６に記載の方法。
【請求項８】
基地局であって、すぐに到来するサービスを検出するように構成されるサービス検出部と、
すぐに到来するサービスが前記サービス検出部によって検出された場合に、すぐに到来するサービスのサービス識別（ＩＤ）又は一時移動グループ識別（ＴＭＧＩ）における少なくとも一部のビットを含むサービス指示情報を生成するように構成されるサービス指示部と、
マルチキャスト又はブロードキャスト方式で前記サービス指示情報をユーザ装置へ伝送するように構成される情報マルチキャスト部と、を備え、
前記サービス指示情報のデータ量は、シングルセル−マルチキャスト制御チャネル（ＳＣ−ＭＣＣＨ）情報のデータ量より小さいものである、基地局。
【請求項９】
前記サービス指示情報は、変更通知メッセージにおける所定数のビットであり、且つ、
前記サービス指示情報は、すぐに到来するサービスの所属するサービスグループを指示するように、すぐに到来するサービスのサービス識別（ＩＤ）又は一時移動グループ識別（ＴＭＧＩ）における一部のビットを含んでおり、
前記情報マルチキャスト部は、下りリンク制御チャネル（ＮＰＤＣＣＨ）においてマルチキャスト又はブロードキャスト方式で、前記サービス指示情報を含む前記変更通知メッセージをユーザ装置へ伝送するように構成される、請求項８に記載の基地局。
【請求項１０】
前記サービス指示情報に指示されるすぐに到来するサービスの所属するサービスグループの数量は、所定指示数量であり、
前記基地局は、前記すぐに到来するサービスの所属するサービスグループの総数量が前記所定指示数量を超えた場合に、前記サービス指示情報に指示されていないすぐに到来するサービスを記憶するように構成されるサービス記憶部をさらに備える、請求項９に記載の基地局。
【請求項１１】
前記サービス指示部は、記憶されているすぐに到来するサービスの所属するサービスグループの数量が所定記憶閾値を超えた場合に、前記変更通知メッセージ中に、すぐに到来するサービスの全てを指示するようにさらに構成される、請求項１０に記載の基地局。
【請求項１２】
前記情報マルチキャスト部は、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するようにさらに構成される、請求項９に記載の基地局。
【請求項１３】
前記情報マルチキャスト部は、下りリンク共有チャネル（ＮＰＤＳＣＨ）においてマルチキャスト又はブロードキャスト方式で前記サービス指示情報をユーザ装置へ伝送するようにさらに構成される、請求項８に記載の基地局。
【請求項１４】
前記情報マルチキャスト部は、前記サービス指示情報を伝送する前に、下りリンク制御チャネル（ＮＰＤＣＣＨ）においてマルチキャスト又はブロードキャスト方式で下りリンク制御情報（ＤＣＩ）をユーザ装置へ伝送し、
前記サービス指示情報を伝送した後に、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するようにさらに構成され、
前記下りリンク制御情報（ＤＣＩ）は、前記サービス指示情報を指示するために用いられる、請求項１３に記載の基地局。
【請求項１５】
休止状態にあるユーザ装置がサービスを発現する方法であって、すぐに到来するサービスのサービス識別（ＩＤ）又は一時移動グループ識別（ＴＭＧＩ）における少なくとも一部のビットを含むサービス指示情報を監視するステップと、
サービス指示情報が監視された場合に、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断するステップと、
一致すると判断された場合、下りリンク共有チャネル（ＮＰＤＳＣＨ）において前記シングルセル−マルチキャスト制御チャネル（ＳＣ−ＭＣＣＨ）情報を受信して復号化するステップと、を有し、
前記サービス指示情報のデータ量は、シングルセル−マルチキャスト制御チャネル（ＳＣ−ＭＣＣＨ）情報のデータ量より小さいものである、方法。
【請求項１６】
前記サービス指示情報は、変更通知メッセージにおける所定数のビットであり、
前記サービス指示情報を監視するステップは、下りリンク制御チャネル（ＮＰＤＣＣＨ）において、前記サービス指示情報を含む前記変更通知メッセージを監視するステップを有する、請求項１５に記載の方法。
【請求項１７】
前記サービス指示情報を監視するステップは、下りリンク制御チャネル（ＮＰＤＣＣＨ）において、下りリンク制御情報（ＤＣＩ）を監視するステップと、
下りリンク制御情報（ＤＣＩ）が監視された場合に、下りリンク共有チャネル（ＮＰＤＳＣＨ）において前記サービス指示情報を受信して復号化するステップと、を有する、請求項１５に記載の方法。
【請求項１８】
前記変更通知メッセージに含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致しないと判断された場合に、再び休止状態に入るステップをさらに有する、請求項１５に記載の方法。
【請求項１９】
ユーザ装置であって、すぐに到来するサービスのサービス識別（ＩＤ）又は一時移動グループ識別（ＴＭＧＩ）における少なくとも一部のビットを含むサービス指示情報を監視するように構成されるサービス監視部と、
サービス指示情報が監視された場合に、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断するように構成されるサービス選別部と、
一致すると前記サービス選別部が判断した場合に、下りリンク共有チャネル（ＮＰＤＳＣＨ）において、前記シングルセル−マルチキャスト制御チャネル（ＳＣ−ＭＣＣＨ）情報を受信して復号化するように構成されるサービス情報受信部と、を備え、
前記サービス指示情報のデータ量は、シングルセル−マルチキャスト制御チャネル（ＳＣ−ＭＣＣＨ）情報のデータ量より小さいものである、ユーザ装置。
【請求項２０】
前記サービス指示情報は、変更通知メッセージにおける所定数のビットであり、
前記サービス監視部は、下りリンク制御チャネル（ＮＰＤＣＣＨ）において、前記サービス指示情報を含む前記変更通知メッセージを監視するように構成される、請求項１９に記載のユーザ装置。
【請求項２１】
前記サービス監視部は、下りリンク制御チャネル（ＮＰＤＣＣＨ）において、下りリンク制御情報（ＤＣＩ）を監視し、
下りリンク制御情報（ＤＣＩ）が監視された場合に、下りリンク共有チャネル（ＮＰＤＳＣＨ）において前記サービス指示情報を受信して復号化するように構成される、請求項２０に記載のユーザ装置。
【請求項２２】
前記ユーザ装置は、前記変更通知メッセージに含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致しないと前記サービス選別部が判断した場合に、前記ユーザ装置が再び休止状態に入るように制御するように構成される状態制御部をさらに備える、請求項２１に記載のユーザ装置。
【発明の詳細な説明】
【技術分野】
【０００１】
本開示は、移動通信分野に関し、より具体的には、モノのインターネット内におけるサービスを指示と発現する方法、基地局、及びユーザ装置に関する。
【背景技術】
【０００２】
近年、狭帯域モノのインターネット（Ｎａｒｒｏｗ  Ｂａｎｄ  Ｉｎｔｅｒｎｅｔ  ｏｆ  Ｔｈｉｎｇｓ，ＮＢ−ＩｏＴ）が検討されている。ＮＢ−ＩｏＴは、従来の無線通信ネットワーク技術に基づいて、約１８０ＫＨｚの狭周波数帯域を使用して情報を送受信するものである。
【０００３】
ＮＢ−ＩｏＴでは、ユーザ装置（ＵＥ）がシングルセル−ポイント・ツー・マルチポイント（Ｓｉｎｇｌｅ  Ｃｅｌｌ−Ｐｏｉｎｔ  ｔｏ  Ｍｕｌｔｉ−ｐｏｉｎｔ，ＳＣ−ＰＴＭ）通信をサポートすることができる。狭帯域モノのインターネット（ＮＢ−ＩｏＴ）システムにおいて、数多くのユーザ装置（ＵＥ）が存在し、且つ、これらの数多くのユーザ装置（ＵＥ）について数多くのサービスが存在する。従って、狭帯域モノのインターネット（ＮＢ−ＩｏＴ）システムでは、ある時間間隔内、あるカバレッジ内において、すぐに到来するサービスが頻繁に出現される。
【０００４】
すぐに到来するサービスをセル内のユーザ装置（ＵＥ）に発現させるために、基地局（ｅＮＢ）は、下りリンク制御チャネル（Ｎａｒｒｏｗ  Ｂａｎｄ  Ｐｈｙｓｉｃａｌ  Ｄｏｗｎｌｉｎｋ  Ｃｏｎｔｒｏｌ  Ｃｈａｎｎｅｌ，ＮＰＤＣＣＨ）において、マルチキャスト又はブロードキャスト方式で変更通知メッセージ（Ｓｉｎｇｌｅ  Ｃｅｌｌ−Ｍｕｌｔｉｃａｓｔ  Ｃｏｎｔｒｏｌ  ｃｈａｎｎｅｌ  Ｃｈａｎｇｅ  Ｎｏｔｉｆｉｃａｔｉｏｎ，ＳＣ−ＭＣＣＨ  Ｃｈａｎｇｅ  Ｎｏｔｉｆｉｃａｔｉｏｎ）を伝送し、その後、基地局（ｅＮＢ）は、さらに、下りリンク共有チャネル（Ｎａｒｒｏｗ  Ｂａｎｄ  Ｐｈｙｓｉｃａｌ  Ｄｏｗｎｌｉｎｋ  Ｓｈａｒｅｄ  Ｃｈａｎｎｅｌ，ＮＰＤＳＣＨ）において、マルチキャスト又はブロードキャスト方式でシングルセル−マルチキャスト制御チャネル（Ｓｉｎｇｌｅ  Ｃｅｌｌ−Ｍｕｌｔｉｃａｓｔ  Ｃｏｎｔｒｏｌ  ｃｈａｎｎｅｌ，ＳＣ−ＭＣＣＨ）情報を伝送し、該シングルセル−マルチキャスト制御チャネル（ＳＣ−ＭＣＣＨ）情報は、全ての進行中のサービスとすぐに到来するサービスとに関する制御情報を含んでおり、例えば、進行中のサービスの一時移動グループ識別（ＴＭＧＩ）、及びすぐに到来するサービスの一時移動グループ識別（ＴＭＧＩ）などを含んでいる。ユーザ装置（ＵＥ）は、変更通知メッセージを受信した時にウェークアップされ、次に下りリンク共有チャネル（ＮＰＤＳＣＨ）においてマルチキャスト又はブロードキャスト方式で伝送されたシングルセル−マルチキャスト制御チャネル（ＳＣ−ＭＣＣＨ）情報を受信して復号化し、それによって、すぐに到来するサービスが興味あるサービスであるか否かを特定し、且つ、マルチキャスト又はブロードキャストトラフィックに関する制御情報をさらに取得する。
【０００５】
図１は、従来技術における、変更通知メッセージとシングルセル−マルチキャスト制御チャネル（ＳＣ−ＭＣＣＨ）情報とシングルセル−マルチキャストトラフィックチャネル（Ｓｉｎｇｌｅ  Ｃｅｌｌ−Ｍｕｌｔｉｃａｓｔ  Ｔｒａｆｆｉｃ  Ｃｈａｎｎｅｌ，ＳＣ−ＭＴＣＨ）データとの伝送シーケンスの模式図を示している。図１に示すように、基地局（ｅＮＢ）は、変更通知メッセージを生成してから、下りリンク制御チャネル（ＮＰＤＣＣＨ）においてマルチキャスト又はブロードキャスト方式で該変更通知メッセージをユーザ装置（ＵＥ）へ伝送し、且つ、次に下りリンク共有チャネル（ＮＰＤＳＣＨ）においてマルチキャスト又はブロードキャスト方式でシングルセル−マルチキャスト制御チャネル情報（ＳＣ−ＭＣＣＨ）をユーザ装置（ＵＥ）へ伝送し、その後、続いて、下りリンク共有チャネル（ＮＰＤＳＣＨ）においてマルチキャスト又はブロードキャスト方式でシングルセル−マルチキャストトラフィックチャネル（ＳＣ−ＭＴＣＨ）データをユーザ装置（ＵＥ）へ伝送する。
【０００６】
図２は、従来の変更通知メッセージによってサービスを指示と発現する模式図を示している。図２に示すように、基地局（ｅＮＢ）では、すぐに到来するサービスが変更通知メッセージをトリガーし、変更通知メッセージが基地局（ｅＮＢ）においてトリガーされると、基地局（ｅＮＢ）が下りリンク制御チャネル（ＮＰＤＣＣＨ）によってマルチキャスト又はブロードキャスト方式で該変更通知メッセージをユーザ装置（ＵＥ）へ伝送し、且つ、続いて、下りリンク共有チャネル（ＮＰＤＳＣＨ）においてマルチキャスト又はブロードキャスト方式でシングルセル−マルチキャスト制御チャネル情報（ＳＣ−ＭＣＣＨ）をユーザ装置（ＵＥ）へ伝送する。一方、図２に示すように、ユーザ装置（ＵＥ）では、該変更通知メッセージを受信すると、ユーザ装置（ＵＥ）がウェークアップされ、且つ、下りリンク共有チャネル（ＮＰＤＳＣＨ）によってシングルセル−マルチキャスト制御チャネル（ＳＣ−ＭＣＣＨ）情報を受信して復号化し、それによって、シングルセル−マルチキャスト制御チャネル（ＳＣ−ＭＣＣＨ）情報に含まれるすぐに到来するサービスに関する制御情報に従って、すぐに到来するサービスのうちに、興味あるサービスが存在するか否かを特定する。ユーザ装置（ＵＥ）がすぐに到来するサービスのうちに興味あるサービスが存在することを特定すると、該ユーザ装置（ＵＥ）はシングルセル−マルチキャスト制御チャネル（ＳＣ−ＭＣＣＨ）情報に指示されるユーザ装置（ＵＥ）の興味あるシングルセル−マルチキャストトラフィックチャネル（ＳＣ−ＭＴＣＨ）情報を受信し続け、復号化する。ユーザ装置（ＵＥ）が、すぐに到来するサービスのうちに興味あるサービスが存在しないことを特定すると、該ユーザ装置（ＵＥ）は再び休止状態に入る。
【発明の概要】
【発明が解決しようとする課題】
【０００７】
上記したように、狭帯域モノのインターネット（ＮＢ−ｌｏＴ）システムにおいて数多くのユーザ装置（ＵＥ）が存在し、且つ、これらの数多くのユーザ装置（ＵＥ）について数多くのサービスが存在する。従って、休止状態にある特定ユーザ装置（ＵＥ）は、該特定ユーザ装置（ＵＥ）の興味のないすぐに到来するサービスによってトリガーされる変更通知メッセージ及びシングルセル−マルチキャスト制御チャネル（ＳＣ−ＭＣＣＨ）情報を頻繁に復号化する必要があり、よって、ユーザ装置（ＵＥ）の消費電力が増加して電力効率が低減してしまう。
【０００８】
図３に示すように、サービス１、サービス２、サービス３、サービス４、……のような多種のサービスを示し、ここで、サービス１、サービス２、及びサービス３は、進行中のサービスであり、サービス４は、すぐに到来するサービスである。基地局（ｅＮＢ）では、すぐに到来するサービス４によって変更通知メッセージがトリガーされ、基地局（ｅＮＢ）が該変更通知メッセージをユーザ装置ＵＥへマルチキャストし、且つ、次に、シングルセル−マルチキャスト制御チャネル（ＳＣ−ＭＣＣＨ）情報をマルチキャストし続け、該シングルセル−マルチキャスト制御チャネル（ＳＣ−ＭＣＣＨ）情報には、サービス１の一時移動グループ識別（ＴＭＧＩ  １）、サービス２の一時移動グループ識別（ＴＭＧＩ  ２）、サービス３の一時移動グループ識別（ＴＭＧＩ  ３）、及びサービス４の一時移動グループ識別（ＴＭＧＩ  ４）が含まれている。一方、図３に示すように、特定ユーザ装置（ＵＥ）では、変更通知メッセージを受信した後に、且つ、該シングルセル−マルチキャスト制御チャネル（ＳＣ−ＭＣＣＨ）情報を受信して復号化した後に、サービス４の一時移動グループ識別（ＴＭＧＩ  ４）に従って、サービス４が該特定ユーザ装置ＵＥの興味あるサービスではないと特定する。該特定ユーザ装置（ＵＥ）にとっては、シングルセル−マルチキャスト制御チャネル（ＳＣ−ＭＣＣＨ）情報に対する復号化が不必要であり、これは、該特定ユーザ装置（ＵＥ）の電力浪費をもたらす。
【０００９】
従って、特定ユーザ装置（ＵＥ）にとっては、すぐに到来する興味のないサービスによってトリガーされるシングルセル−マルチキャスト制御チャネル（ＳＣ−ＭＣＣＨ）情報を、該特定ユーザ装置（ＵＥ）が復号化することを有効に回避できる方法が求められている。
【課題を解決するための手段】
【００１０】
本開示の一方面によれば、基地局がサービスを指示する方法を提供する。該方法は、すぐに到来するサービスを検出するステップと、すぐに到来するサービスが検出された場合に、すぐに到来するサービスのサービス識別（ＩＤ）又は一時移動グループ識別（ＴＭＧＩ）における少なくとも一部のビットを含むサービス指示情報を生成するステップと、マルチキャスト又はブロードキャスト方式で前記サービス指示情報をユーザ装置へ伝送するステップとを有し、前記サービス指示情報のデータ量は、シングルセル−マルチキャスト制御チャネル（ＳＣ−ＭＣＣＨ）情報のデータ量より小さいものである。
【００１１】
本開示の一実施例によれば、前記サービス指示情報は、変更通知メッセージにおける所定数のビットであり、且つ、前記サービス指示情報は、すぐに到来するサービスの所属するサービスグループを指示するように、すぐに到来するサービスのサービス識別（ＩＤ）又は一時移動グループ識別（ＴＭＧＩ）における一部のビットを含んでおり、マルチキャスト又はブロードキャスト方式で前記サービス指示情報をユーザ装置へ伝送するステップは、下りリンク制御チャネル（ＮＰＤＣＣＨ）においてマルチキャスト又はブロードキャスト方式で、前記サービス指示情報を含む前記変更通知メッセージをユーザ装置へ伝送するステップを有する。
【００１２】
本開示の一実施例によれば、前記基地局がサービスを指示する方法は、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するステップをさらに有する。
【００１３】
本開示の一実施例によれば、前記サービス指示情報に指示されるすぐに到来するサービスの所属するサービスグループの数量は、所定指示数量であり、前記基地局がサービスを指示する方法は、すぐに到来するサービスの所属するサービスグループの総数量が前記所定指示数量を超えた場合に、前記サービス指示情報に指示されていないすぐに到来するサービスを記憶するステップをさらに有する。
【００１４】
本開示の一実施例によれば、前記基地局がサービスを指示する方法は、記憶されているすぐに到来するサービスの所属するサービスグループの数量が所定記憶閾値を超えた場合に、前記変更通知メッセージ中に、すぐに到来するサービスの全てを指示するステップをさらに有する。
【００１５】
本開示の一実施例によれば、マルチキャスト又はブロードキャスト方式で前記サービス指示情報をユーザ装置へ伝送するステップは、下りリンク共有チャネル（ＮＰＤＳＣＨ）においてマルチキャスト又はブロードキャスト方式で前記サービス指示情報をユーザ装置へ伝送するステップを有する。
【００１６】
本開示の一実施例によれば、前記基地局がサービスを指示する方法は、前記サービス指示情報を伝送する前に、下りリンク制御チャネル（ＮＰＤＣＣＨ）においてマルチキャスト又はブロードキャスト方式で、前記サービス指示情報を指示するための下りリンク制御情報（ＤＣＩ）をユーザ装置へ伝送するステップと、前記サービス指示情報を伝送した後に、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するステップと、をさらに有する。
【００１７】
本開示の他の１つの方面によれば、基地局を提供する。前記基地局は、すぐに到来するサービスを検出するように構成されるサービス検出部と、すぐに到来するサービスが前記サービス検出部によって検出された場合に、すぐに到来するサービスのサービス識別（ＩＤ）又は一時移動グループ識別（ＴＭＧＩ）における少なくとも一部のビットを含むサービス指示情報を生成するように構成されるサービス指示部と、マルチキャスト又はブロードキャスト方式で前記サービス指示情報をユーザ装置へ伝送するように構成される情報マルチキャスト部と、を備え、前記サービス指示情報のデータ量は、シングルセル−マルチキャスト制御チャネル（ＳＣ−ＭＣＣＨ）情報のデータ量より小さいものである。
【００１８】
本開示の一実施例によれば、前記サービス指示情報は、変更通知メッセージにおける所定数のビットであり、且つ、前記サービス指示情報は、すぐに到来するサービスの所属するサービスグループを指示するように、すぐに到来するサービスのサービス識別（ＩＤ）又は一時移動グループ識別（ＴＭＧＩ）における一部のビットを含んでおり、前記情報マルチキャスト部は、下りリンク制御チャネル（ＮＰＤＣＣＨ）においてマルチキャスト又はブロードキャスト方式で、前記サービス指示情報を含む前記変更通知メッセージをユーザ装置へ伝送するように構成される。
【００１９】
本開示の一実施例によれば、前記サービス指示情報に指示されるすぐに到来するサービスの所属するサービスグループの数量は、所定指示数量であり、前記基地局は、前記すぐに到来するサービスの所属するサービスグループの総数量が前記所定指示数量を超えた場合に、前記サービス指示情報に指示されていないすぐに到来するサービスを記憶するように構成されるサービス記憶部をさらに備える。
【００２０】
本開示の一実施例によれば、前記サービス指示部は、記憶されているすぐに到来するサービスの所属するサービスグループの数量が所定記憶閾値を超えた場合に、前記変更通知メッセージ中に、すぐに到来するサービスの全てを指示するようにさらに構成される。
【００２１】
本開示の一実施例によれば、前記情報マルチキャスト部は、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するようにさらに構成される。
【００２２】
本開示の一実施例によれば、前記情報マルチキャスト部は、下りリンク共有チャネル（ＮＰＤＳＣＨ）においてマルチキャスト又はブロードキャスト方式で前記サービス指示情報をユーザ装置へ伝送するようにさらに構成される。
【００２３】
本開示の一実施例によれば、前記情報マルチキャスト部は、前記サービス指示情報を伝送する前に、下りリンク制御チャネル（ＮＰＤＣＣＨ）においてマルチキャスト又はブロードキャスト方式で下りリンク制御情報（ＤＣＩ）をユーザ装置へ伝送し、前記サービス指示情報を伝送した後に、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するようにさらに構成され、前記下りリンク制御情報（ＤＣＩ）は、前記サービス指示情報を指示するために用いられる。
【００２４】
本開示の他の１つの方面によれば、休止状態にあるユーザ装置がサービスを発現する方法を提供する。該方法は、すぐに到来するサービスのサービス識別（ＩＤ）又は一時移動グループ識別（ＴＭＧＩ）における少なくとも一部のビットを含むサービス指示情報を監視するステップと、サービス指示情報が監視された場合に、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断するステップと、一致すると判断された場合、下りリンク共有チャネル（ＮＰＤＳＣＨ）において前記シングルセル−マルチキャスト制御チャネル（ＳＣ−ＭＣＣＨ）情報を受信して復号化するステップと、を有し、前記サービス指示情報のデータ量は、シングルセル−マルチキャスト制御チャネル（ＳＣ−ＭＣＣＨ）情報のデータ量より小さいものである。
【００２５】
本開示の一実施例によれば、前記サービス指示情報は、変更通知メッセージにおける所定数のビットであり、前記サービス指示情報を監視するステップは、下りリンク制御チャネル（ＮＰＤＣＣＨ）において、前記サービス指示情報を含む前記変更通知メッセージを監視するステップを有する。
【００２６】
本開示の一実施例によれば、前記サービス指示情報を監視するステップは、下りリンク制御チャネル（ＮＰＤＣＣＨ）において、下りリンク制御情報（ＤＣＩ）を監視するステップと、下りリンク制御情報（ＤＣＩ）が監視された場合に、下りリンク共有チャネル（ＮＰＤＳＣＨ）において前記サービス指示情報を受信して復号化するステップとを有する。
【００２７】
本開示の一実施例によれば、前記変更通知メッセージに含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致しないと判断された場合に、前記サービスを発現する方法は、再び休止状態に入るステップをさらに有する。
【００２８】
また、本開示の他の１つの方面によれば、ユーザ装置を提供する。前記ユーザ装置は、すぐに到来するサービスのサービス識別（ＩＤ）又は一時移動グループ識別（ＴＭＧＩ）における少なくとも一部のビットを含むサービス指示情報を監視するように構成されるサービス監視部と、サービス指示情報が監視された場合に、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断するように構成されるサービス選別部と、一致すると前記サービス選別部が判断した場合、下りリンク共有チャネル（ＮＰＤＳＣＨ）において、前記シングルセル−マルチキャスト制御チャネル（ＳＣ−ＭＣＣＨ）情報を受信して復号化するように構成されるサービス情報受信部とを備え、前記サービス指示情報のデータ量は、シングルセル−マルチキャスト制御チャネル（ＳＣ−ＭＣＣＨ）情報のデータ量より小さいものである。
【００２９】
本開示の一実施例によれば、前記サービス指示情報は、変更通知メッセージにおける所定数のビットであり、前記サービス監視部は、下りリンク制御チャネル（ＮＰＤＣＣＨ）において、前記サービス指示情報を含む前記変更通知メッセージを監視するように構成される。
【００３０】
本開示の一実施例によれば、前記サービス監視部は、下りリンク制御チャネル（ＮＰＤＣＣＨ）において下りリンク制御情報（ＤＣＩ）を監視し、下りリンク制御情報（ＤＣＩ）が監視された場合に、下りリンク共有チャネル（ＮＰＤＳＣＨ）において前記サービス指示情報を受信して復号化するように構成される。
【００３１】
本開示の一実施例によれば、前記ユーザ装置は、前記変更通知メッセージに含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致しないと前記サービス選別部が判断した場合に、前記ユーザ装置が再び休止状態に入るように制御するように構成される状態制御部をさらに備える。
【００３２】
本開示の他の特徴及び利点は、下記の明細書において説明し、且つ、その一部が明細書から明らかになり、又は、本開示を実施することによって理解する。
【図面の簡単な説明】
【００３３】
図面を参照しながら本開示の実施例をより詳しく説明することで、本開示の上記及び他の目的、特徴、利点がより明確になる。図面は、本開示の実施例を深く理解するためのものであり、明細書の一部を構成し、本開示の実施例と合わせて本開示を説明するために用いられるが、本開示に対する制限ではない。図面において、同一の参照符号は、通常、同一の部品又はステップを示す。
【図１】従来技術において、変更通知メッセージとシングルセル−マルチキャスト制御チャネル（ＳＣ−ＭＣＣＨ）情報とシングルセル−マルチキャストトラフィックチャネル（ＳＣ−ＭＴＣＨ）データとの伝送シーケンスの模式図である。
【図２】従来の変更通知メッセージによってサービスを指示と発現する模式図である。
【図３】ユーザ装置がシングルセル−マルチキャスト制御チャネル（ＳＣ−ＭＣＣＨ）情報を不必要に復号化する模式図である。
【図４】変更通知メッセージにおけるサービス指示ビットマップによってサービスを指示と発現する模式図である。
【図５】本開示の実施例による基地局（ｅＮＢ）においてサービスを指示する方法の模式的なフローチャートである。
【図６】本開示の実施例による休止状態にあるユーザ装置（ＵＥ）においてサービスを発現する方法の模式的なフローチャートである。
【図７】本開示の第一実施例による基地局（ｅＮＢ）においてサービスを指示する方法の模式的なフローチャートである。
【図８】本開示の第一実施例による休止状態にあるユーザ装置（ＵＥ）においてサービスを発現する方法の模式的なフローチャートである。
【図９】本開示の第二実施例による基地局（ｅＮＢ）においてサービスを指示する方法の模式的なフローチャートである。
【図１０】本開示の第二実施例による休止状態にあるユーザ装置（ＵＥ）においてサービスを発現する方法の模式的なフローチャートである。
【図１１】本開示の実施例による基地局の模式的なブロック図である。
【図１２】本開示の実施例によるユーザ装置の模式的なブロック図である。
【図１３】与えられた伝送パラメータの際、１つのすぐに到来するサービス及び異なる数量の進行中のサービスの場合に、表１及び図４に示すサービス発現方法と本開示の第二実施例によるサービス発現方法でのユーザ装置（ＵＥ）の消費電力比を示している。
【発明を実施するための形態】
【００３４】
本開示の目的、技術方案、及び利点がより明確になるために、以下、図面を参照しながら本開示の例示の実施例を詳しく説明する。もちろん、説明される実施例は、本開示の実施例の一部に過ぎず、本開示の全ての実施例ではない。本開示は、ここで説明される例示の実施例に限定されないと理解すべきである。本開示で説明される本開示の実施例に基づいて、当業者が創造的な労働をせずに得られる他の実施例の全ては、本開示の保護範囲内に入る。
【００３５】
特定ユーザ装置（ＵＥ）にとっては、該特定ユーザ装置（ＵＥ）の興味を持たないすぐに到来するサービスによってトリガーされるシングルセル−マルチキャスト制御チャネル（ＳＣ−ＭＣＣＨ）情報に対する復号化を減少するために、サービスをグループ化と指示する方法が提案されている。該方法では、サービスをＮつのサービスグループに区分け、且つ、変更通知メッセージ中にＮビットのサービス指示ビットマップ（ｂｉｔｍａｐ）を挿入し、サービス指示ビットマップのＮビットがＮつのサービスグループに一対一に対応し、これによって、サービス指示ビットマップのＮビットによって、Ｎつのサービスグループのうちに、どのサービスグループにおけるサービスがすぐに到来するサービスであるかを指示する。特定サービスのサービス識別（ＩＤ）又は一時移動グループ識別（ＴＭＧＩ）を利用して、下式に従って、該特定サービスの所属するサービスグループのサービスグループインデックスを計算する。
サービスグループインデックス＝（サービス識別（ＩＤ）又は一時移動グループ識別（ＴＭＧＩ））ｍｏｄ  Ｎ
【００３６】
変更通知メッセージが１９ビットのサービス指示ビットマップを含むことを例として、次の表１は、ビットマップとサービスグループインデックスとサービスＩＤとの対応関係を示している。また、図４は、変更通知メッセージにおけるサービス指示ビットマップに指示されるサービスグループが興味あるサービスを含んでいる場合のみに、ＵＥがシングルセル−マルチキャスト制御チャネル（ＳＣ−ＭＣＣＨ）情報を復号化することを示している。
【００３７】
【表１】
2019525633.tif 000003
【００３８】
表１のビットマップは、［０，１，０，０，０，０，０，０，０，０，０，０，０，０，０，０，０，０，０］であり、それは、すぐに到来するサービスがグループ２におけるサービスであり、グループ２におけるサービスがサービスＩＤ１、２０、３９、５８などのサービスを含むことを示している。
【００３９】
変更通知メッセージが１９ビットのサービス指示ビットマップを含んでおり、且つ、サービス識別（ＩＤ）が２４ビットを含んでいると想定される場合に、各サービスグループが２２４／１９つのサービスを含む。従って、特定ユーザ端末（ＵＥ）にとっては、前記サービス指示ビットマップにおいて、興味あるサービスの所在するサービスグループに対応するビットが指示されると、すぐに到来するサービスの中に本当に興味あるサービスが含まれなくても、シングルセル−マルチキャスト制御チャネル（ＳＣ−ＭＣＣＨ）を復号化する。例えば、特定ユーザ端末（ＵＥ）は、サービスＩＤ  ２０のサービスに興味を持ち、サービスＩＤ  ２０のサービスは、サービスグループ２に属するものであり、変更通知メッセージのサービス指示ビットマップには、すぐに到来するサービスがサービスグループ２に属することを指示しているので、該特定ユーザ端末（ＵＥ）は、すぐに到来するサービスに興味を持つ可能性があると特定し、次のシングルセル−マルチキャスト制御チャネル（ＳＣ−ＭＣＣＨ）情報を復号化する必要がある。しかし、次のシングルセル−マルチキャスト制御チャネル（ＳＣ−ＭＣＣＨ）情報を復号化することで、該特定ユーザ端末（ＵＥ）は、すぐに到来するサービスのサービスＩＤが３９であると特定し、該特定ユーザ端末（ＵＥ）がサービスＩＤ  ３９のサービスに興味がないので、該特定ユーザ端末（ＵＥ）の高消費電力及び低電力効率をもたらす。
【００４０】
従って、表１と図４に示したサービスをグループ化及び指示する方法は、精度が不十分であり、不必要なシングルセル−マルチキャスト制御チャネル（ＳＣ−ＭＣＣＨ）情報に対する復号化を有効に回避することができない。
【００４１】
図５は、本開示の実施例による基地局（ｅＮＢ）においてサービスを指示する方法の模式的なフローチャートを示している。
【００４２】
ステップＳ５１０において、基地局（ｅＮＢ）は、すぐに到来するサービスを検出する。従来の基地局においてすぐに到来するサービスを検出する方法を利用してもよく、将来に開発される基地局においてすぐに到来するサービスを検出する方法を利用してもよく、ここで限定しない。ここで言及されるすぐに到来するサービスは、少なくとも一つのすぐに到来するサービスであってもよく、すぐに到来するサービスの数量について限定がないことが理解されるべきである。
【００４３】
ステップＳ５２０において、基地局（ｅＮＢ）は、すぐに到来するサービスを検出したか否かを判断する。
【００４４】
ステップＳ５２０においてすぐに到来するサービスを検出できなかったと判断した場合に、本開示の実施例によるサービス指示方法は、ステップＳ５１０に戻し、すぐに到来するサービスを検出し続ける。
【００４５】
ステップＳ５２０においてすぐに到来するサービスを検出できたと判断した場合に、本開示の実施例によるサービス指示方法は、ステップＳ５３０に進む。ステップＳ５３０において、基地局（ｅＮＢ）は、サービス指示情報を生成し、前記サービス指示情報は、すぐに到来するサービスのサービス識別（ＩＤ）又は一時移動グループ識別（ＴＭＧＩ）における少なくとも一部のビットを含み、前記サービス指示情報のデータ量は、シングルセル−マルチキャスト制御チャネル（ＳＣ−ＭＣＣＨ）情報のデータ量より小さい。前記シングルセル−マルチキャスト制御チャネル（ＳＣ−ＭＣＣＨ）情報は、すぐに到来するサービスの一時移動グループ識別（ＴＭＧＩ）、及び進行中の一時移動グループ識別（ＴＭＧＩ）などの情報を含む。
【００４６】
その後、ステップＳ５４０において、マルチキャスト又はブロードキャスト方式で前記サービス指示情報をユーザ装置へ伝送する。
【００４７】
本開示の実施例によれば、ユーザ装置（ＵＥ）は、興味あるサービスのサービス識別（ＩＤ）又は一時移動グループ識別（ＴＭＧＩ）を予めに記憶しており、前記サービス指示情報が監視された後、前記サービス指示情報に含まれるすぐに到来するサービスのサービス識別（ＩＤ）又は一時移動グループ識別（ＴＭＧＩ）における前記少なくとも一部のビットが、予めに記憶されているサービス識別（ＩＤ）又は一時移動グループ識別（ＴＭＧＩ）における対応するビットと一致するか否かを判断することによって、すぐに到来するサービスが興味あるサービスであるかを特定し、且つ、すぐに到来するサービスが興味あるサービスである可能性があると特定される場合のみ、シングルセル−マルチキャスト制御チャネル（ＳＣ−ＭＣＣＨ）情報を受信して復号化する。前記サービス指示情報のデータ量がシングルセル−マルチキャスト制御チャネル（ＳＣ−ＭＣＣＨ）情報のデータ量より小さいため、ユーザ装置（ＵＥ）によって復号化されるデータ量を減少し、そして、ユーザ装置（ＵＥ）の消費電力を低減し、且つ、ユーザ装置（ＵＥ）の電力効率を向上させることができる。
【００４８】
図６は、本開示の実施例による休止状態にあるユーザ装置（ＵＥ）においてサービスを発現する方法の模式的なフローチャートを示している。
【００４９】
ステップＳ６１０において、休止状態にあるユーザ装置（ＵＥ）は、サービス指示情報を監視し、前記サービス指示情報は、すぐに到来するサービスのサービス識別（ＩＤ）又は一時移動グループ識別（ＴＭＧＩ）における少なくとも一部のビットを含む。
【００５０】
ステップＳ６２０において、ユーザ装置（ＵＥ）は、サービス指示情報が監視されたかを判断する。
【００５１】
ステップＳ６２０においてサービス指示情報を検出できなかったと判断した場合に、本開示の実施例によるサービス発現方法は、ステップＳ６１０に戻して、サービス指示情報を監視し続ける。
【００５２】
ステップＳ６２０においてサービス指示情報を検出したと判断した場合に、本開示の実施例によるサービス発現方法は、ステップＳ６３０に進む。ステップＳ６３０において、ユーザ装置（ＵＥ）は、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断する。
【００５３】
ステップＳ６３０において一致しないと判断された場合に、本開示の実施例によるサービス発現方法は、ステップＳ６５０に進み、且つ、ステップＳ６５０において、ユーザ装置は、再び休止状態に入る。
【００５４】
ステップＳ６３０において一致すると判断された場合に、本開示の実施例によるサービス発現方法は、ステップＳ６４０に進む。ステップＳ６４０において、ユーザ装置（ＵＥ）は、下りリンク共有チャネル（ＮＰＤＳＣＨ）において、シングルセル−マルチキャスト制御チャネル（ＳＣ−ＭＣＣＨ）情報を受信して復号化し、前記サービス指示情報のデータ量は、シングルセル−マルチキャスト制御チャネル（ＳＣ−ＭＣＣＨ）情報のデータ量より小さい。前記シングルセル−マルチキャスト制御チャネル（ＳＣ−ＭＣＣＨ）情報は、すぐに到来するサービスの一時移動グループ識別（ＴＭＧＩ）、及び進行中のサービスの一時移動グループ識別（ＴＭＧＩ）などの情報を含む。
【００５５】
本開示の実施例によるサービス発現方法では、前記サービス指示情報に含まれるすぐに到来するサービスのサービス識別（ＩＤ）又は一時移動グループ識別（ＴＭＧＩ）における前記少なくとも一部のビットと前記ユーザ装置に予めに記憶されているサービス識別（ＩＤ）又は一時移動グループ識別（ＴＭＧＩ）における対応するビットとが一致するとユーザ装置（ＵＥ）が判断した場合のみ、ユーザ装置（ＵＥ）は、シングルセル−マルチキャスト制御チャネル（ＳＣ−ＭＣＣＨ）情報を受信して復号化する。前記サービス指示情報は、すぐに到来するサービスのサービス識別（ＩＤ）又は一時移動グループ識別（ＴＭＧＩ）における前記少なくとも一部のビットのみを含むため、ユーザ装置（ＵＥ）で復号化される量が低減し、且つ、シングルセル−マルチキャスト制御チャネル（ＳＣ−ＭＣＣＨ）情報に対するユーザ装置（ＵＥ）の不必要な復号化も減少できる。
【００５６】
本開示の実施例によれば、下りリンク制御チャネル（ＮＰＤＣＣＨ）においてマルチキャスト又はブロードキャスト方式で前記サービス指示情報を伝送してもよく、下りリンク共有チャネル（ＮＰＤＳＣＨ）においてマルチキャスト又はブロードキャスト方式で前記サービス指示情報を伝送してもよい。
【００５７】
以下、本開示の第一実施例及び第二実施例では、本開示によるサービスを指示及び発現する方法を詳しく説明する。
【００５８】
本開示の第一実施例によれば、前記サービス指示情報は、変更通知メッセージにおける所定数のビットＮであり、該サービス指示情報は、すぐに到来するサービスのサービス識別（ＩＤ）又は一時移動グループ識別（ＴＭＧＩ）における少なくとも一部のビットを含む。本開示の第一実施例によるサービス指示情報は、表１に示されるビットマップとも完全に異なる。
【００５９】
図７は、本開示の第一実施例による基地局（ｅＮＢ）でサービスを指示する方法の模式的なフローチャートを示している。
【００６０】
ステップＳ７１０において、基地局（ｅＮＢ）は、すぐに到来するサービスを検出する。従来の基地局においてすぐに到来するサービスを検出する方法を利用してもよく、将来に開発される基地局においてすぐに到来するサービスを検出する方法を利用してもよく、ここに限定をしない。ここで言及されるすぐに到来するサービスが少なくとも１つのすぐに到来するサービスであってもよく、すぐに到来するサービスの数量について限定がないことが理解されるべきである。
【００６１】
ステップＳ７２０において、基地局（ｅＮＢ）は、すぐに到来するサービスを検出したか否かを判断する。
【００６２】
ステップＳ７２０においてすぐに到来するサービスを検出できなかったと判断した場合に、本開示の第一実施例によるサービス指示方法は、ステップＳ７１０に戻し、すぐに到来するサービスを検出し続ける。
【００６３】
ステップＳ７２０においてすぐに到来するサービスを検出できたと判断した場合に、本開示の第一実施例によるサービス指示方法は、ステップＳ７３０に進み、ステップＳ７３０において、基地局（ｅＮＢ）は、所定数のビットのサービス指示情報を生成し、且つ、前記所定数のビットのサービス指示情報を変更通知メッセージに含め、前記サービス指示情報は、すぐに到来するサービスのサービス識別（ＩＤ）又は一時移動グループ識別（ＴＭＧＩ）における少なくとも一部のビットを含む。
【００６４】
その後、ステップＳ７４０において、基地局（ｅＮＢ）は、下りリンク制御チャネル（ＮＰＤＣＣＨ）において、マルチキャスト又はブロードキャスト方式で、前記サービス指示情報を含む前記変更通知メッセージをユーザ端末（ＵＥ）へ伝送する。
【００６５】
次に、ステップＳ７５０において、基地局（ｅＮＢ）は、下りリンク共有チャネル（ＮＰＤＳＣＨ）においてシングルセル−マルチキャスト制御チャネル（ＳＣ−ＭＣＣＨ）情報をマルチキャストし、前記サービス指示情報のデータ量は、シングルセル−マルチキャスト制御チャネル（ＳＣ−ＭＣＣＨ）情報のデータ量より小さい。
【００６６】
さらに、ステップＳ７６０において、基地局（ｅＮＢ）は、下りリンク共有チャネル（ＮＰＤＳＣＨ）においてマルチキャスト又はブロードキャスト方式でシングルセル−マルチキャストトラフィックチャネル（ＳＣ−ＭＴＣＨ）データを伝送する。
【００６７】
図８は、本開示の第一実施例による休止状態にあるユーザ装置（ＵＥ）においてサービスを発現する方法の模式的なフローチャートを示している。
【００６８】
ステップＳ８１０において、休止状態にあるユーザ装置（ＵＥ）は、下りリンク制御チャネル（ＮＰＤＣＣＨ）において変更通知メッセージを監視し、前記変更通知メッセージは、所定数のビットのサービス指示情報を含み、前記サービス指示情報は、すぐに到来するサービスのサービス識別（ＩＤ）又は一時移動グループ識別（ＴＭＧＩ）における少なくとも一部のビットを含む。
【００６９】
ステップＳ８２０において、ユーザ装置（ＵＥ）は、サービス指示情報を含む変更通知メッセージが監視されたか否かを判断する。
【００７０】
ステップＳ８２０においてサービス指示情報を含む変更通知メッセージを検出できなかったと判断した場合に、本開示の実施例によるサービス発現方法は、ステップＳ８１０に戻し、サービス指示情報を含む変更通知メッセージを監視し続ける。
【００７１】
ステップＳ８２０においてサービス指示情報を含む変更通知メッセージを検出できたと判断した場合に、本開示の第一実施例によるサービス発現方法は、ステップＳ８３０に進む。ステップＳ８３０において、ユーザ装置（ＵＥ）は、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断する。
【００７２】
ステップＳ８３０において一致しないと判断された場合に、本開示の実施例によるサービス発現方法は、ステップＳ８５０に進み、且つ、ステップＳ８５０において、ユーザ装置（ＵＥ）は、再び休止状態に入る。
【００７３】
ステップＳ８３０において一致すると判断された場合に、本開示の実施例によるサービス発現方法は、ステップＳ８４０に進む。ステップＳ８４０において、ユーザ装置（ＵＥ）は、下りリンク共有チャネル（ＮＰＤＳＣＨ）において、シングルセル−マルチキャスト制御チャネル（ＳＣ−ＭＣＣＨ）情報を受信して復号化し、前記サービス指示情報のデータ量は、シングルセル−マルチキャスト制御チャネル（ＳＣ−ＭＣＣＨ）情報のデータ量より小さい。
【００７４】
本開示の第一実施例によるサービスを指示及び発現する方法は、下りリンク制御チャネル（ＮＰＤＣＣＨ）において、マルチキャスト又はブロードキャスト方式でサービス指示情報を含む変更通知メッセージを伝送し、サービス指示情報は、すぐに到来するサービスのサービス識別（ＩＤ）又は一時移動グループ識別（ＴＭＧＩ）における前記少なくとも一部のビットを含む。ユーザ装置（ＵＥ）によって変更通知メッセージが監視され、且つ、変更通知メッセージにおけるサービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致すると判断した場合のみ、ユーザ装置（ＵＥ）がシングルセル−マルチキャスト制御チャネル（ＳＣ−ＭＣＣＨ）情報を受信して復号化する。
【００７５】
前記サービス指示情報には、すぐに到来するサービスのサービス識別（ＩＤ）又は一時移動グループ識別（ＴＭＧＩ）における前記少なくとも一部のビットが含まれているため、本開示の第一実施例では、サービスをより多くのサービスグループにグループ化し、各サービスグループに含まれるサービスの数量が比較的に少なくなり、ユーザ装置（ＵＥ）があるサービスグループ内におけるすぐに到来するサービスに興味を持つかもしれないと特定してシングルセル−マルチキャスト制御チャネル（ＳＣ−ＭＣＣＨ）情報を復号化する可能性が減少され、これによって、全体的に、ユーザ装置（ＵＥ）の消費電力を低減し、且つ、ユーザ装置（ＵＥ）の電力効率を向上させる。一方、同様に、前記サービス指示情報には、すぐに到来するサービスのサービス識別（ＩＤ）又は一時移動グループ識別（ＴＭＧＩ）における前記少なくとも一部のビットが含まれているため、ユーザ装置（ＵＥ）で復号化されるデータ量が低減され、これによって、ユーザ装置（ＵＥ）の消費電力を低減し、且つ、それ相応にユーザ装置（ＵＥ）の電力効率を向上させた。
【００７６】
本開示の第一実施例によれば、サービス指示情報がＮビットを含む場合に、サービスをＮＮつのサービスグループにグループ化してもよく、ここで、ＮＮがＮより大きい。これによって、サービスのグループ化方式がより高精度になり、表１と図４に示されるグループ化方法と比べて、特定ユーザ装置（ＵＥ）の消費電力をさらに低減することができる。
【００７７】
本開示の第一実施例によれば、サービス指示情報に含まれるＮビットを利用して、少なくとも１つのサービスグループを指示してもよい。
【００７８】
第一例示では、サービス指示情報に含まれるＮビットを利用して、１つのサービスグループを指示する。サービス指示情報に含まれるＮビットの全ては、１つのサービスグループを指示するために用いられると想定され、サービスは、２Ｎつのサービスグループにグループ化されることが可能である。変更通知メッセージがＮビットのサービス指示情報を含み、且つサービス識別（ＩＤ）又は一時移動グループ識別（ＴＭＧＩ）がＭビットを含むことを例として、各サービスグループ内は、２Ｍ−Ｎつのサービスを含む。例えば、サービス識別（ＩＤ）又は一時移動グループ識別（ＴＭＧＩ）の最上位Ｎ有効ビットに従って、サービスをグループ化してもよく、つまり、前記サービス指示情報の前記Ｎビットは、１つのすぐに到来するサービスの最上位Ｎ有効ビットであってもよい。
【００７９】
具体的には、サービス指示情報が１９ビットを含み、且つサービス識別（ＩＤ）が２４ビットを含むことを例として、サービスは、最大２１９つのサービスグループにグループ化され、各サービスグループ内には、２５つのサービスが含まれてもよく、１つのすぐに到来するサービスの最上位１９有効ビットは、前記サービス指示情報とされてもよい。表１と図４に示される、サービスグループが１９つであり、且つ、各サービスグループが２２４／１９つのサービスを含む場合と比べて、本開示の第一実施例によるグループ化方法では、シングルセル−マルチキャスト制御チャネル（ＳＣ−ＭＣＣＨ）情報に対する特定ユーザ装置（ＵＥ）の大量の不必要な復号化を減少することができる。
【００８０】
第二例示では、サービス指示情報に含まれるＮビットを利用して、２つのサービスグループを指示する。サービス指示情報に含まれるＮビットにおけるＮ１ビットが、第一サービスグループを指示するために用いられ、且つ、Ｎ２ビットが、第二サービスグループを指示するために用いられると想定され、サービスは、２Ｎ１又は２Ｎ２つのサービスグループにグループ化されることができる。Ｎ１＝Ｎ２であり、且つＮ１＋Ｎ２≦Ｎである場合に、サービス識別（ＩＤ）又は一時移動グループ識別（ＴＭＧＩ）がＭビットを含むことを例として、各サービスグループ内は、２Ｍ−Ｎ１つのサービスを含む。例えば、サービス識別（ＩＤ）又は一時移動グループ識別（ＴＭＧＩ）の最上位Ｎ１有効ビットに従って、サービスをグループ化してもよく、つまり、前記サービス指示情報の前記Ｎ１ビットは、１つのすぐに到来するサービスの最上位Ｎ１有効ビットであり、前記サービス指示情報の前記Ｎ２ビットは、他の１つのすぐに到来するサービスの最上位Ｎ１有効ビットであってもよい。
【００８１】
より具体的には、サービス指示情報が１９ビットを含み、且つ、サービス識別（ＩＤ）が２４ビットを含むことを例として、例えば、Ｎ１＝Ｎ２＝９であり、サービスは、最大２９つのサービスグループにグループ化され、各サービスグループ内は、２１５つのサービスが含まれ、１つのすぐに到来するサービスの最上位９有効ビットを利用して、前記サービス指示情報における９ビットを構成し、且つ、他の１つのすぐに到来するサービスの最上位９有効ビットを利用して前記サービス指示情報における他の９ビットを構成してもよい。表１と図４に示される、サービスグループが１９つであり、且つ、各サービスグループが２２４／１９つのサービスを含む場合と比べて、本開示の第一実施例によるグループ化方法では、シングルセル−マルチキャスト制御チャネル（ＳＣ−ＭＣＣＨ）情報に対する特定ユーザ装置（ＵＥ）の大量の不必要な復号化を減少することができる。
【００８２】
サービス指示情報に含まれるＮビットは、ただ一部がサービスグループを指示するために用いられ、残りのビットが予約制御ビットとして用いられることもできると理解されるべきである。
【００８３】
本発明の第一実施例によれば、前記サービス指示情報に指示されるすぐに到来するサービスの所属するサービスグループの数量は、所定指示数量であり、すぐに到来するサービスの所属するサービスグループの総数量が前記所定指示数量を超えた場合に、前記サービス指示情報に指示されていないすぐに到来するサービスを記憶し、且つ、記憶されているすぐに到来するサービスに対するサービス指示を遅延する。
【００８４】
本発明の第一実施例によれば、記憶されているすぐに到来するサービスの所属するサービスグループの数量が所定記憶閾値を超えた場合に、本開示の第一実施例によるサービス指示方式を、別のサービス指示方式に切り替えてもよい。前記別のサービス指示方式は、記憶されているすぐに到来するサービスの全てをまとめて指示してもよく、例えば、図２に示される従来のサービス指示方式、又は表１と図４に示されるサービス指示方式であってもよい。
【００８５】
本開示の第一実施例によれば、所定記憶閾値を設けることで、本開示に提案された変更通知メッセージと、従来の変更通知メッセージ又は表１に示される変更通知メッセージとの間に切り替えることができ、これによって、すぐに到来するサービスの所属するサービスグループの数量が多くない場合に、シングルセル−マルチキャスト制御チャネル（ＳＣ−ＭＣＣＨ）情報に対するユーザ装置（ＵＥ）の不必要な復号化を大幅に低減することができ、且つ、すぐに到来するサービスの所属するサービスグループの数量が比較的に多い場合に、適時にサービス指示機能を実現することができる。
【００８６】
本開示の第一実施例によれば、上位レイヤーシグナリング方式で現在の変更通知メッセージのサービス指示方式を通知してもよく、あるいは、変更通知メッセージにフォーマット指示ビットを設けることで、現在のサービス指示方式をユーザ装置（ＵＥ）へ通知してもよい。ユーザ装置（ＵＥ）は、上位レイヤーシグナリング方式で現在の変更通知メッセージのサービス指示方式を取得してもよく、あるいは、変更通知メッセージに設けられたフォーマット指示ビットに従って、現在の変更通知メッセージのサービス指示方式を取得してもよい。
【００８７】
本開示の第二実施例によれば、変更通知メッセージを使用してサービスを指示することではなく、シングルセル−マルチキャスト制御チャネル（ＳＣ−ＭＣＣＨ）情報のマルチキャストの前に、下りリンク共有チャネル（ＮＰＤＳＣＨ）においてサービス指示情報を伝送し、該サービス指示情報には、すぐに到来するサービスのサービス識別（ＩＤ）又は一時移動グループ識別（ＴＭＧＩ）における少なくとも一部のビットが含まれる。
【００８８】
図９は、本開示の第二実施例による基地局（ｅＮＢ）においてサービスを指示する方法の模式的なフローチャートを示している。
【００８９】
ステップＳ９１０において、基地局（ｅＮＢ）は、すぐに到来するサービスを検出する。従来の基地局においてすぐに到来するサービスに対する検出方法を利用してもよく、将来に開発される基地局においてすぐに到来するサービスに対する検出方法を利用してもよく、ここで限定しない。ここに言及されるすぐに到来するサービスは、少なくとも１つのすぐに到来するサービスであってもよく、すぐに到来するサービスの数量について限定しない。
【００９０】
ステップＳ９２０において、基地局（ｅＮＢ）は、すぐに到来するサービスを検出したかを判断する。
【００９１】
ステップＳ９２０においてすぐに到来するサービスを検出できなかったと判断した場合に、本開示の第二実施例によるサービス指示方法は、ステップＳ９１０に戻し、すぐに到来するサービスを検出し続ける。
【００９２】
ステップＳ９２０においてすぐに到来するサービスを検出できたと判断した場合に、本開示の第二実施例によるサービス指示方法は、ステップＳ９３０に進む。ステップＳ９３０において、基地局（ｅＮＢ）は、下りリンク制御チャネル（ＮＰＤＣＣＨ）においてマルチキャスト又はブロードキャスト方式で下りリンク制御情報（ＤＣＩ）を伝送する。
【００９３】
その後、ステップＳ９４０において、基地局（ｅＮＢ）は、サービス指示情報を生成し、前記サービス指示情報には、すぐに到来するサービスのサービス識別（ＩＤ）又は一時移動グループ識別（ＴＭＧＩ）における少なくとも一部のビットが含まれる。
【００９４】
本開示の第二実施例では、前記下りリンク制御情報（ＤＣＩ）を利用して前記サービス指示情報を指示する。例えば、ＤＣＩフォーマットＮ１又はＮ２を利用して前記サービス指示情報をスケジューリングする。
【００９５】
次に、ステップＳ９５０において、下りリンク共有チャネル（ＮＰＤＳＣＨ）においてマルチキャスト又はブロードキャスト方式で前記サービス指示情報をユーザ端末（ＵＥ）へ伝送し、前記サービス指示情報のデータ量は、シングルセル−マルチキャスト制御チャネル（ＳＣ−ＭＣＣＨ）情報のデータ量より小さい。
【００９６】
次に、ステップＳ９６０において、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ端末（ＵＥ）へ伝送する。
【００９７】
さらに、ステップＳ９７０において、下りリンク共有チャネル（ＮＰＤＳＣＨ）においてシングルセル−マルチキャストトラフィックチャネル（ＳＣ−ＭＴＣＨ）データをマルチキャストする。
【００９８】
図１０は、本開示の第二実施例による休止状態にあるユーザ装置（ＵＥ）においてサービスを発現する方法の模式的なフローチャートを示している。
【００９９】
ステップＳ１０１０において、休止状態にあるユーザ装置（ＵＥ）は、下りリンク制御チャネル（ＮＰＤＣＣＨ）において下りリンク制御情報（ＤＣＩ）を監視する。
【０１００】
ステップＳ１０２０において、ユーザ装置（ＵＥ）は、下りリンク制御情報（ＤＣＩ）が監視されたか否かを判断する。
【０１０１】
ステップＳ１０２０において下りリンク制御情報（ＤＣＩ）を検出できなかったと判断した場合に、本開示の第二実施例によるサービス発現方法は、ステップＳ１０１０に戻し、下りリンク制御チャネル（ＮＰＤＣＣＨ）において下りリンク制御情報（ＤＣＩ）を監視し続ける。
【０１０２】
ステップＳ１０２０において下りリンク制御情報（ＤＣＩ）を検出できたと判断した場合に、本開示の第二実施例によるサービス発現方法は、ステップＳ１０３０に進む。
【０１０３】
ステップＳ１０３０において、下りリンク共有チャネル（ＮＰＤＳＣＨ）において前記サービス指示情報を受信して復号化し、前記サービス指示情報には、すぐに到来するサービスのサービス識別（ＩＤ）又は一時移動グループ識別（ＴＭＧＩ）における少なくとも一部のビットが含まれ、前記サービス指示情報のデータ量は、シングルセル−マルチキャスト制御チャネル（ＳＣ−ＭＣＣＨ）情報のデータ量より小さい。
【０１０４】
ステップＳ１０４０において、ユーザ装置（ＵＥ）は、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断する。
【０１０５】
ステップＳ１０４０において一致しないと判断された場合に、本開示の第二実施例によるサービス発現方法は、ステップＳ１０６０に進み、且つ、ステップＳ１０６０において、ユーザ装置（ＵＥ）は、再び休止状態に入る。
【０１０６】
ステップＳ１０４０において一致すると判断された場合に、本開示の第二実施例によるサービス発現方法は、ステップＳ１０５０に進む。ステップＳ１０５０において、ユーザ装置（ＵＥ）は、下りリンク共有チャネル（ＮＰＤＳＣＨ）においてシングルセル−マルチキャスト制御チャネル（ＳＣ−ＭＣＣＨ）情報を受信して復号化する。
【０１０７】
本開示の第二実施例によれば、前記サービス指示情報は、全てのすぐに到来するサービスのサービス識別（ＩＤ）又は一時移動グループ識別（ＴＭＧＩ）を含んでもよく、前記シングルセル−マルチキャスト制御チャネル（ＳＣ−ＭＣＣＨ）情報は、すぐに到来するサービスの一時移動グループ識別（ＴＭＧＩ）、及び進行中のサービスの一時移動グループ識別（ＴＭＧＩ）を含む。
【０１０８】
本開示の第二実施例によれば、前記サービス指示情報に指示されるすぐに到来するサービスの最大指示数量を予めに設定し、且つ、すぐに到来するサービスの数量が該最大指示数量を超えた場合に、指示されていないすぐに到来するサービスを記憶してもよい。
【０１０９】
本開示の第二実施例によれば、サービス指示情報には、すぐに到来するサービスのサービス識別（ＩＤ）又は一時移動グループ識別（ＴＭＧＩ）における一部のビット又は全部のビットが含まれ、且つ、サービス指示情報には、全てのすぐに到来するサービスのサービス識別（ＩＤ）又は一時移動グループ識別（ＴＭＧＩ）が含まれてもよい。これによって、サービスをよりタイムリーに指示し、且つ、サービスをより正確に指示し、大量の情報を含むシングルセル−マルチキャスト制御チャネル（ＳＣ−ＭＣＣＨ）情報をユーザ装置（ＵＥ）が不必要に復号化することを有効に回避することができる。
【０１１０】
例えば、サービス指示情報に、すぐに到来するサービスのサービス識別（ＩＤ）又は一時移動グループ識別（ＴＭＧＩ）の全部のビットが含まれている場合に、ユーザ装置（ＵＥ）は、すぐに到来するサービスが興味あるサービスである可能性のみを特定することではなく、すぐに到来するサービスが興味あるサービスであるか否かを正確に特定できる。
【０１１１】
以下、図１１−１２を参照しながら、本開示の実施例による基地局とユーザ装置の模式的なブロック図を説明する。
【０１１２】
図１１に示すように、本開示の実施例による基地局１１００は、サービス検出部１１１０、サービス指示部１１２０、及び情報マルチキャスト部１１３０を備える。
【０１１３】
前記サービス検出部１１１０は、すぐに到来するサービスを検出するように構成される。
【０１１４】
前記サービス指示部１１２０は、前記サービス検出部がすぐに到来するサービスを検出した場合に、サービス指示情報を生成し、前記サービス指示情報には、すぐに到来するサービスのサービス識別（ＩＤ）又は一時移動グループ識別（ＴＭＧＩ）における少なくとも一部のビットが含まれる。前記サービス指示情報のデータ量は、シングルセル−マルチキャスト制御チャネル（ＳＣ−ＭＣＣＨ）情報のデータ量より小さい。
【０１１５】
前記情報マルチキャスト部１１３０は、マルチキャスト又はブロードキャスト方式で前記サービス指示情報をユーザ装置へ伝送するように構成される。
【０１１６】
図１２に示すように、本開示の実施例によるユーザ装置１２００は、サービス監視部１２１０、サービス選別部１２２０、及びサービス情報受信部１２３０を備える。
【０１１７】
前記サービス監視部１２１０は、サービス指示情報を監視するように構成され、前記サービス指示情報には、すぐに到来するサービスのサービス識別（ＩＤ）又は一時移動グループ識別（ＴＭＧＩ）における少なくとも一部のビットが含まれる。前記サービス指示情報のデータ量は、シングルセル−マルチキャスト制御チャネル（ＳＣ−ＭＣＣＨ）情報のデータ量より小さい。
【０１１８】
前記サービス選別部１２２０は、サービス指示情報が監視された場合に、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断するように構成される。
【０１１９】
前記サービス情報受信部１２３０は、前記サービス選別部によって一致すると判断された場合に、下りリンク共有チャネル（ＮＰＤＳＣＨ）において前記シングルセル−マルチキャスト制御チャネル（ＳＣ−ＭＣＣＨ）情報を受信して復号化するように構成され、前記シングルセル−マルチキャスト制御チャネル（ＳＣ−ＭＣＣＨ）情報には、すぐに到来するサービスの一時移動グループ識別（ＴＭＧＩ）、及び進行中のサービスの一時移動グループ識別（ＴＭＧＩ）が含まれる。
【０１２０】
本開示の第一実施例によれば、前記サービス指示情報は、変更通知メッセージにおける所定数のビットであり、且つ、前記サービス指示情報は、すぐに到来するサービスのサービス識別（ＩＤ）又は一時移動グループ識別（ＴＭＧＩ）における一部のビットを含むことで、すぐに到来するサービスの所属するサービスグループを指示し、基地局（ｅＮＢ）は、下りリンク制御チャネル（ＮＰＤＣＣＨ）においてマルチキャスト又はブロードキャスト方式で前記変更通知メッセージをユーザ装置（ＵＥ）へ伝送する。
【０１２１】
また、本開示の第一実施例によれば、前記サービス指示情報に指示されるすぐに到来するサービスの所属するサービスグループの数量は、所定指示数量であり、前記基地局は、前記すぐに到来するサービスの所属するサービスグループの総数量が前記所定指示数量を超えた場合に、前記サービス指示情報に指示されていないすぐに到来するサービスを記憶するように構成されるサービス記憶部をさらに備える。前記サービス指示部は、記憶されているすぐに到来するサービスの所属するサービスグループの数量が所定記憶閾値を超えた場合に、前記変更通知メッセージ中に、全てのすぐに到来するサービスを指示するようにさらに構成される。
【０１２２】
本開示の第一実施例による基地局において、前記サービス指示部１１２０は、所定数のビットのサービス指示情報を生成し、且つ、前記サービス指示情報を変更通知メッセージに含め、前記情報マルチキャスト部１１３０は、具体的には、下りリンク制御チャネル（ＮＰＤＣＣＨ）においてマルチキャスト又はブロードキャスト方式で前記サービス指示情報を含む前記変更通知メッセージを伝送するように構成される。また、前記情報マルチキャスト部１１３０は、下りリンク共有チャネル（ＮＰＤＳＣＨ）において前記シングルセル−マルチキャスト制御チャネル（ＳＣ−ＭＣＣＨ）情報をマルチキャストするようにさらに構成される。
【０１２３】
本開示の第一実施例によるユーザ装置において、前記サービス監視部１２１０は、下りリンク制御チャネル（ＮＰＤＣＣＨ）において前記サービス指示情報を含む前記変更通知メッセージを監視するように構成される。前記ユーザ装置は、状態制御部（図示せず）をさらに備える。前記状態制御部は、前記サービス選別部１２２０によって前記変更通知メッセージに含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致しないと判断した場合に、前記ユーザ装置が再び休止状態に入るように制御するように構成される。
【０１２４】
本発明の第二実施例によれば、前記サービス指示情報は、下りリンク共有チャネル（ＮＰＤＳＣＨ）においてマルチキャスト又はブロードキャスト方式で伝送される。
【０１２５】
本開示の第二実施例による基地局において、前記サービス指示部１１２０は、サービス指示情報を生成し、前記サービス指示情報には、すぐに到来するサービスのサービス識別（ＩＤ）又は一時移動グループ識別（ＴＭＧＩ）における前記少なくとも一部のビットが含まれる。前記情報マルチキャスト部１１３０は、具体的には、下りリンク共有チャネル（ＮＰＤＳＣＨ）においてマルチキャスト又はブロードキャスト方式で前記サービス指示情報を伝送するように構成される。また、前記情報マルチキャスト部１１３０は、マルチキャスト又はブロードキャスト方式で前記サービス指示情報を伝送する前に、下りリンク制御チャネル（ＮＰＤＣＣＨ）においてマルチキャスト又はブロードキャスト方式で下りリンク制御情報（ＤＣＩ）を伝送し、且つ、マルチキャスト又はブロードキャスト方式で前記サービス指示情報を伝送した後に、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報を伝送するように構成される。前記下りリンク制御情報（ＤＣＩ）は、前記サービス指示情報を指示するために用いられる。
【０１２６】
本開示の第二実施例によるユーザ装置において、前記サービス監視部１２１０は、下りリンク制御チャネル（ＮＰＤＣＣＨ）において下りリンク制御情報（ＤＣＩ）を監視し、下りリンク制御情報（ＤＣＩ）が監視された場合に、下りリンク共有チャネル（ＮＰＤＳＣＨ）において前記サービス指示情報を受信して復号化するように構成される。前記ユーザ装置は、状態制御部（図示せず）をさらに備える。前記状態制御部は、前記サービス選別部１２２０によって前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致しないと判断された場合に、前記ユーザ装置が再び休止状態に入るように制御するように構成される。
【０１２７】
１つのサービスについては、一時移動グループ識別（ＴＭＧＩ）が６４ビットであり、グループ−無線ネットワーク一時識別（Ｇｒｏｕｐ  Ｒａｄｉｏ  Ｎｅｔｗｏｒｋ  Ｔｅｍｐｏｒａｒｙ  Ｉｄｅｎｔｉｆｉｅｒ，  Ｇ−ＲＮＴＩ）が６４ビットであり、スケジューリング情報が１３ビットであると仮定する。
【０１２８】
すぐに到来するサービスが１つ存在し、サービス指示情報には、該すぐに到来するサービスの一時移動グループ識別（ＴＭＧＩ）（６４ビット）のみが含まれているが、シングルセル−マルチキャスト制御チャネル（ＳＣ−ＭＣＣＨ）情報には、該すぐに到来するサービスの一時移動グループ識別（ＴＭＧＩ）（６４ビット）、グループ−無線ネットワーク一時識別（Ｇｒｏｕｐ  Ｒａｄｉｏ  Ｎｅｔｗｏｒｋ  Ｔｅｍｐｏｒａｒｙ  Ｉｄｅｎｔｉｆｉｅｒ，  Ｇ−ＲＮＴＩ）（６４ビット）、及びスケジューリング情報（１３ビット）に加えて、進行中のサービスのＴＭＧＩ、Ｇ−ＲＮＴＩ及びスケジューリング情報も含まれていると仮定する。
【０１２９】
次のような伝送パラメータを仮定する。即ち、トランスポートブロックのサイズインデックスＩＴＭＳが５であり、データ繰り返し回数が４であると仮定する。図１３は、該伝送パラメータの仮定をもとに、１つのすぐに到来するサービス及び異なる数量の進行中のサービスの場合に、図２に示される従来のサービス発現方法と本開示の第二実施例によるサービス発現方法でのユーザ装置（ＵＥ）の消費電力比を示している。
【０１３０】
本開示の実施例によれば、すぐに到来するサービスのサービス識別（ＩＤ）又は一時移動グループ識別（ＴＭＧＩ）における少なくとも一部のビットをサービス指示情報に含め、且つ、シングルセル−マルチキャスト制御チャネル（ＳＣ−ＭＣＣＨ）情報の前に、マルチキャスト又はブロードキャスト方式で前記サービス指示情報を伝送することで、前記サービス指示情報に指示されるすぐに到来するサービスが興味あるサービスであるか否かを、ユーザ装置（ＵＥ）が正確に特定することができ、あるいは、前記サービス指示情報に指示される比較的に小さなサービスグループ内に興味あるサービスが含まれているか否かを、ユーザ装置（ＵＥ）が正確に特定することができる。これによって、ユーザ装置（ＵＥ）は、すぐに到来するサービスが興味あるサービスであると特定した場合のみに、又はすぐに到来するサービスが興味あるサービスである可能性が高いと特定した場合のみに、シングルセル−マルチキャスト制御チャネル（ＳＣ−ＭＣＣＨ）情報を受信して復号化し、それで、ユーザ装置（ＵＥ）がシングルセル−マルチキャスト制御チャネル（ＳＣ−ＭＣＣＨ）情報を不必要に復号化することを有効に回避できる。
【０１３１】
注意すべきは、本明細書において、用語の「含む」、「含んでいる」、又は他の任意の変形は、非排他的に含有することを意味する。それで、一連の要素を含む手順、方法、物品、又はデバイスは、それらの要素のみを含むわけではなく、明確に挙げられない他の要素を含むこともできるし、あるいは、その手順、方法、物品、又はデバイスに固有の要素をさらに含むこともできる。別段の定めがない限り、「１つの……を含む」という語句によって限定される要素は、前記要素を含む手順、方法、物品、又はデバイスに、他の同一の要素も存在することを排除する意味ではない。
【０１３２】
最後、注意すべきは、上記した一連の処理は、ここで説明した順番で時系列に従って実行される処理を含むだけではなく、時系列以外に並行に又は個別的に実行される処理も含む。
【０１３３】
上記の実施方式の説明によって、当業者にとっては、ソフトウェアに加えて必要なハードウェアを用いて本開示を実現してもよく、もちろん、本開示の全てをハードウェアによって実施してもよいことが明白である。このような理解に基づいて、本開示の技術案が背景技術に与えた貢献の全て又は一部は、ソフトウェア製品の形で表現されることもでき、該コンピュータソフトウェア製品は、例えばＲＯＭ／ＲＡＭ、磁気ディスク、光ディスクといった記憶媒体に記憶されてもよく、１台のコンピュータデバイス（パソコン、サーバー、又はネットワークデバイスなど）が本開示の各実施例又は実施例の一部に記載される方法を実行するために用いられるいくつかの命令を含むものである。
【０１３４】
以上、本開示を詳しく紹介し、本文において具体的な例を用いて本開示の原理及び実施方式を説明したが、上記の実施例の説明は、本開示の方法及び趣旨を理解するためのものに過ぎない。同時に、当業者は、本開示の思想に従って、具体的な実施方式と適用範囲との両方を変更することもある。以上により、本明細書の内容は、本開示を制限するものではないと理解すべきである。
【０１３５】
本出願は、２０１６年０８月１１日に提出した出願番号が「２０１６１０６５９８７２．８」であり、発明名称が「サービスを指示と発現する方法、基地局、及びユーザ装置」である中国優先出願の優先権を主張し、その全部内容は、引用によってここに編入される。
【図１】
2019525633.tif 000004
【図２】
2019525633.tif 000005
【図３】
2019525633.tif 000006
【図４】
2019525633.tif 000007
【図５】
2019525633.tif 000008
【図６】
2019525633.tif 000009
【図７】
2019525633.tif 000010
【図８】
2019525633.tif 000011
【図９】
2019525633.tif 000012
【図１０】
2019525633.tif 000013
【図１１】
2019525633.tif 000014
【図１２】
2019525633.tif 000015
【図１３】
2019525633.tif 000016
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
基地局がサービスを指示する方法であって、
すぐに到来するサービスを検出するステップと、
すぐに到来するサービスが検出された場合に、すぐに到来するサービスのサービス識別（ＩＤ）又は一時移動グループ識別（ＴＭＧＩ）における少なくとも一部のビットを含むサービス指示情報を生成するステップと、
マルチキャスト又はブロードキャスト方式で前記サービス指示情報をユーザ装置へ伝送するステップと、を有し、
前記サービス指示情報のデータ量は、シングルセル−マルチキャスト制御チャネル（ＳＣ−ＭＣＣＨ）情報のデータ量より小さいものである、方法。
【請求項２】
前記サービス指示情報は、変更通知メッセージにおける所定数のビットであり、且つ、
前記サービス指示情報は、すぐに到来するサービスの所属するサービスグループを指示するように、すぐに到来するサービスのサービス識別（ＩＤ）又は一時移動グループ識別（ＴＭＧＩ）における一部のビットを含んでおり、
マルチキャスト又はブロードキャスト方式で前記サービス指示情報をユーザ装置へ伝送するステップは、
下りリンク制御チャネル（ＮＰＤＣＣＨ）においてマルチキャスト又はブロードキャスト方式で、前記サービス指示情報を含む前記変更通知メッセージをユーザ装置へ伝送するステップを有する、請求項１に記載の方法。
【請求項３】
前記方法は、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するステップをさらに有する、請求項２に記載の方法。
【請求項４】
マルチキャスト又はブロードキャスト方式で前記サービス指示情報をユーザ装置へ伝送するステップは、
下りリンク共有チャネル（ＮＰＤＳＣＨ）においてマルチキャスト又はブロードキャスト方式で前記サービス指示情報をユーザ装置へ伝送するステップを有する、請求項１に記載の方法。
【請求項５】
基地局であって、すぐに到来するサービスを検出するように構成されるサービス検出部と、
すぐに到来するサービスが前記サービス検出部によって検出された場合に、すぐに到来するサービスのサービス識別（ＩＤ）又は一時移動グループ識別（ＴＭＧＩ）における少なくとも一部のビットを含むサービス指示情報を生成するように構成されるサービス指示部と、
マルチキャスト又はブロードキャスト方式で前記サービス指示情報をユーザ装置へ伝送するように構成される情報マルチキャスト部と、を備え、
前記サービス指示情報のデータ量は、シングルセル−マルチキャスト制御チャネル（ＳＣ−ＭＣＣＨ）情報のデータ量より小さいものである、基地局。
【請求項６】
前記サービス指示情報は、変更通知メッセージにおける所定数のビットであり、且つ、
前記サービス指示情報は、すぐに到来するサービスの所属するサービスグループを指示するように、すぐに到来するサービスのサービス識別（ＩＤ）又は一時移動グループ識別（ＴＭＧＩ）における一部のビットを含んでおり、
前記情報マルチキャスト部は、下りリンク制御チャネル（ＮＰＤＣＣＨ）においてマルチキャスト又はブロードキャスト方式で、前記サービス指示情報を含む前記変更通知メッセージをユーザ装置へ伝送するように構成される、請求項５に記載の基地局。
【請求項７】
前記サービス指示情報に指示されるすぐに到来するサービスの所属するサービスグループの数量は、所定指示数量であり、
前記基地局は、前記すぐに到来するサービスの所属するサービスグループの総数量が前記所定指示数量を超えた場合に、前記サービス指示情報に指示されていないすぐに到来するサービスを記憶するように構成されるサービス記憶部をさらに備える、請求項６に記載の基地局。
【請求項８】
前記サービス指示部は、記憶されているすぐに到来するサービスの所属するサービスグループの数量が所定記憶閾値を超えた場合に、前記変更通知メッセージ中に、すぐに到来するサービスの全てを指示するようにさらに構成される、請求項７に記載の基地局。
【請求項９】
前記情報マルチキャスト部は、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するようにさらに構成される、請求項６に記載の基地局。
【請求項１０】
前記情報マルチキャスト部は、下りリンク共有チャネル（ＮＰＤＳＣＨ）においてマルチキャスト又はブロードキャスト方式で前記サービス指示情報をユーザ装置へ伝送するようにさらに構成される、請求項５に記載の基地局。
【請求項１１】
前記情報マルチキャスト部は、前記サービス指示情報を伝送する前に、下りリンク制御チャネル（ＮＰＤＣＣＨ）においてマルチキャスト又はブロードキャスト方式で下りリンク制御情報（ＤＣＩ）をユーザ装置へ伝送し、
前記サービス指示情報を伝送した後に、下りリンク共有チャネル（ＮＰＤＳＣＨ）においてマルチキャスト又はブロードキャスト方式で前記シングルセル−マルチキャスト制御チャネル（ＳＣ−ＭＣＣＨ）情報をユーザ装置へ伝送するようにさらに構成され、
前記下りリンク制御情報（ＤＣＩ）は、前記サービス指示情報を指示するために用いられる、請求項１０に記載の基地局。
【請求項１２】
ユーザ装置であって、すぐに到来するサービスのサービス識別（ＩＤ）又は一時移動グループ識別（ＴＭＧＩ）における少なくとも一部のビットを含むサービス指示情報を監視するように構成されるサービス監視部と、
サービス指示情報が監視された場合に、前記サービス指示情報に含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致するか否かを判断するように構成されるサービス選別部と、
一致すると前記サービス選別部が判断した場合に、下りリンク共有チャネル（ＮＰＤＳＣＨ）において、前記シングルセル−マルチキャスト制御チャネル（ＳＣ−ＭＣＣＨ）情報を受信して復号化するように構成されるサービス情報受信部と、を備え、
前記サービス指示情報のデータ量は、シングルセル−マルチキャスト制御チャネル（ＳＣ−ＭＣＣＨ）情報のデータ量より小さいものである、ユーザ装置。
【請求項１３】
前記サービス指示情報は、変更通知メッセージにおける所定数のビットであり、
前記サービス監視部は、下りリンク制御チャネル（ＮＰＤＣＣＨ）において、前記サービス指示情報を含む前記変更通知メッセージを監視するように構成される、請求項１２に記載のユーザ装置。
【請求項１４】
前記サービス監視部は、下りリンク制御チャネル（ＮＰＤＣＣＨ）において、下りリンク制御情報（ＤＣＩ）を監視し、
下りリンク制御情報（ＤＣＩ）が監視された場合に、下りリンク共有チャネル（ＮＰＤＳＣＨ）において前記サービス指示情報を受信して復号化するように構成される、請求項１３に記載のユーザ装置。
【請求項１５】
前記ユーザ装置は、前記変更通知メッセージに含まれるすぐに到来するサービスのサービス識別（ＩＤ）又は一時移動グループ識別（ＴＭＧＩ）における前記少なくとも一部のビットが前記ユーザ装置に予めに記憶されているサービス識別（ＩＤ）又は一時移動グループ識別（ＴＭＧＩ）における対応するビットと一致しないと前記サービス選別部が判断した場合に、前記ユーザ装置が再び休止状態に入るように制御するように構成される状態制御部をさらに備える、請求項１４に記載のユーザ装置。
【国際調査報告】
2019525633.tif 000017
2019525633.tif 000018
2019525633.tif 000019
2019525633.tif 000020